(57)【特許請求の範囲】
【請求項１】
開口面を向い合わせて重合した後、ずらすことによって組み立てて使用する容器であって、平面方形状の底板の四周に側板を立設し、対向する一対の側板の上端縁に上面が水平なフランジを突設するとともに、前記フランジの端縁に下向きの補強枠を設け、前記側板は開口面に向かって外側に傾斜させ、高さのほぼ中間に段部を形成し、前記フランジにはフックとフック用透孔、及び位置決め弾性片と位置決め用孔とを設けてなり、
前記フックは、軸の先端に前記軸よりも大径な傘を設け、傘の下面に軸の高さのリブを１８０度隔てて側板に対して平行に設けてなり、前記フック用透孔は、前記傘を挿入するフック孔に前記軸の直径寸法とほぼ同じ幅寸法のフック係止部を連設してなり、前記位置決め弾性片はフランジに平面コ字状の切込みによって形成した弾性板の先端上面に突起を形成してなり、前記位置決め用孔は前記弾性板の先端上面に形成した突起とほぼ同じ大きさであり、前記フックとフック用透孔と位置決め弾性片と位置決め用孔とは対角方向において対称に形成すると共に、前記フックがフック係止部に位置するときに、弾性板の突起が位置決め用孔に嵌合するように形成したことを特徴とする合成樹脂製運搬容器。
【請求項２】
前記側板は収納する容器の高さ寸法のほぼ半分の高さであることを特徴とする請求項１記載の合成樹脂製運搬容器。
【請求項３】
前記フック用透孔は、フック孔とフック孔の間にくびれ部を設けてなり、フックの傘をフック孔に挿入した後、ずらしてくびれ部に移動させたとき、弾性片の突起が位置決め用孔に嵌合するように形成したことを特徴とする請求項１または請求項２記載の合成樹脂製運搬容器。
【発明の詳細な説明】
【０００１】
【発明の属する技術分野】
この発明は、開口面を向かい合わせに重合することによって一組の本体と蓋体として簡単に組み立てられ、また、簡単に分離することができるとともに、同一方向においては嵌合して積み重ねられるようにした合成樹脂製運搬容器に関するものである。
【０００２】
【従来の技術】
従来、清涼飲料、ジュース、ビール等の容器には缶、壜が多く使われており、これら缶飲料、壜飲料を梱包・運搬するには一般にダンボール箱が使用されている。そして、ダンボール箱は、ルートセールスにおいては大量に使用されるために、缶を取り出した空箱を送り返すときは、一度に多量の輸送が可能なように展開状態にできることが望ましく、この点からも簡単に展開できるダンボール箱が広く使用されている。
【０００３】
しかしながら、ダンボール箱は使い捨てであって反復して使用することができないことから、近年提起されている省資源の点から問題がある。また、組立部分は全て糊付けされているために開封や使用後の折り畳みに手間がかかるという問題がある。さらに、ダンボールであるから当然耐水性が悪い。
【０００４】
そこで、ダンボール箱に代えて組立自在であって反復使用可能な合成樹脂製の組立箱が提案されている。このような展開及び組み立て自在な箱としては種々の構造のものが提案されており、底板に側板、蓋板をそれぞれヒンジ部を介して連設してなるもの（例えば、特開昭６３−１６２４５８号公報、実開平３−８７６３５号公報等）や、４枚の側板をヒンジを介して連設し、前記４枚の側板の一方端側にそれぞれ底板をヒンジを介して連設すると共に、前記４枚の側板のうち対角部において重なり合う２枚を貼着し他の対角部では貼着せずフリーな状態とし、フリーな部分を互いに交差するように組み立て、折り畳むときはフリーな状態の対角部を周方向に押圧して菱形状に折り畳むもの（例えば、特開平６−３２３４６号公報、特開平６−１３５４３４号公報等）がある。
【０００５】
【発明が解決しようとする課題】
前記公報記載の組立自在箱は、底板や側板がヒンジを介して連設されているために一体成形品に比べてやや強度が落ちると共に、展開状態で成形した後に箱状に組み立てるために、組立工程が必要になり、それだけコストアップになるという問題がある。また、これらの組立自在箱は、展開状態においては段差がなく平担な面を有する１枚の板状にすることができるものの、缶飲料のような重量物を梱包し、また、運搬の際に斜めにしたり片手で持ち運ぶ等の取り扱いをする箱としては、確実に組立状態を保持することはできない。従って、従来の合成樹脂製組立箱は、缶飲料の運搬容器としては使用することができなかった。
【０００６】
この発明はかかる現況に鑑みてなされたもので、組立、分離が簡単な操作で行うことができ、缶飲料等の重量物でも梱包、運搬することができ、さらに、回収時には相互に嵌合して積み重ねることができる合成樹脂製運搬容器を提供するものである。
【０００７】
【課題を解決するための手段】
この発明は上記目的を達成するために次のような構成とした。即ち、この発明に係る合成樹脂製運搬容器は、開口面を向い合わせて重合した後、ずらすことによって組み立てて使用する容器であって、平面方形状の底板の四周に側板を立設し、対向する一対の側板の上端縁に上面が水平なフランジを突設するとともに、前記フランジの端縁に下向きの補強枠を設け、前記側板は開口面に向かって外側に傾斜させ、高さのほぼ中間に段部を形成し、前記フランジにはフックとフック用透孔、及び位置決め弾性片と位置決め用孔とを設けてなり、
前記フックは、軸の先端に前記軸よりも大径な傘を設け、傘の下面に軸の高さのリブを１８０度隔てて側板に対して平行に設けてなり、前記フック用透孔は、前記傘を挿入するフック孔に前記軸の直径寸法とほぼ同じ幅寸法のフック係止部を連設してなり、前記位置決め弾性片はフランジに平面コ字状の切込みによって形成した弾性板の先端上面に突起を形成してなり、前記位置決め用孔は前記弾性板の先端上面に形成した突起とほぼ同じ大きさであり、前記フックとフック用透孔と位置決め弾性片と位置決め用孔とは対角方向において対称に形成すると共に、前記フックがフック係止部に位置するときに、弾性板の突起が位置決め用孔に嵌合するように形成したことを特徴とする。
前記側板は収納する容器の高さ寸法のほぼ半分の高さに形成されている。
【０００８】
また、前記フック用透孔は、フック孔とフック孔の間にくびれ部を設けてなり、フックの傘をフック孔に挿入した後、ずらしてくびれ部に移動させたとき、弾性片の突起が位置決め用孔に嵌合するように形成する。
【０００９】
【発明の実施の形態】
以下に、図面に示す実施形態に基づいてこの発明を詳細に説明する。容器本体Ｈは、平面方形状の底板１の四周に側板３を立設し、上面を開口させた四角扁平な箱であって、側板３の高さは収納する容器の高さ寸法のほぼ半分である。側板３は、容器本体Ｈを互いに嵌合させて積み重ねられるように、開口面に向かって外側に傾斜しているとともに、ほぼ中間の高さ位置に段部５が設けられている。従って、底部を他の容器本体１の開口面から挿入して嵌合させると、底板１の周縁が前記段部５に載置して積み重ねられる。
【００１０】
さらに、側板３の対向する一対の上端縁には上面が水平なフランジ７を突設してなり、前記フランジ７の上面にはフック９、位置決め弾性片１０、位置決め用孔１１及びフック用透孔１３が順に設けられている。対向するフランジ７に設けられた前記フック９、位置決め弾性片１０、位置決め用孔１１及びフック用透孔１３は対角方向において対称であり、従って、対向するフランジを１８０度回転させたとき一致するように形成されている。
【００１１】
前記フック９は、軸９ａの先端に傘９ｂを設け、傘９ｂの下面にリブ９ｃ、リブ９ｃを一体に設けてなる。図６〜図７に示すように、傘９ｂは軸９ａよりも直径寸法が大きく外方に突出しており、リブ９ｃ、リブ９ｃは傘９ｂの範囲内において軸９ａの全高さに亘っていると共に、１８０度隔てて側板３に対して平行に設けられている。前記リブ９ｃ、リブ９ｃは、傘９ｂをフック用透孔１３から引き抜く際に傘９ｂが係止されることがないようにするもので、フランジ７の長さ方向に設けられている。
【００１２】
また、前記弾性片１０は、図８及び図９に示すように、フランジ７に平面コの字状の切込１０ａを入れ、一辺のみを連設することによって弾性板１０ｂとなし、前記弾性板１０ｂの先端上面にフランジ面よりも突出した突起１０ｃを形成してなる。従って、通常は、弾性板１０ｂの上面は、フランジ７の上面と同一面であり突起１０ｃだけが突出しているが、押圧すると弾性板１０ｂはその弾性作用によって下方に曲げられて突起１０ｃの上面とフランジ７の上面とが一致する。
【００１３】
前記位置決め用孔１１は、前記弾性片１０の突起１０ｃとほぼ同じ大きさであって、容器本体Ｈの開口面を向かい合わせて重合したとき、相手の突起１０ｃを嵌合し位置決め固定してズレを防止する。また、フック用透孔１３は、図４に示すように、フック孔１３ａ、１３ｂの間にフック係止部となるくびれ部１３ｃを設けた略瓢箪形である。前記フック孔１３ａ、１３ｂはフック９の傘９ｂを挿入可能な大きさであり、フック係止部となるくびれ部１３ｃの幅寸法はフック９の軸９ａの直径寸法とほぼ同じ大きさに形成されている。
【００１４】
従って、フック９の傘９ｂをフック孔１３ａ、１３ｂのいずれか一方から挿入してくびれ部１３ｃの位置に移動させると、傘９ｂの下面がフランジ７の下面に係止して一体に組み立てられる。フック９の傘９ｂがくびれ部１３ｃの位置に移動したときに、位置決め用孔１１に弾性片１０の突起１０ｃが嵌合して位置が固定され、フランジ７の面と平行方向へのズレが防止される。
【００１５】
尚、前記実施形態におけるフック用透孔１３は、いずれの方向からもフック９の傘９ｂを挿入できるようにフック孔１３ａ、１３ｂを設け、その間にフック係止部となるくびれ部１３ｃを設けた略瓢箪形としたが、フック孔１３ａ、１３ｂはいずれか一方のみとしてもよい。この場合には、フック係止部としてフック孔にくびれ部１３ｃと同じ幅寸法の長孔を連設する構成とすればよい。
【００１６】
尚、前記フランジ７の端縁には下向きの補強枠７ａを設けることが好ましい。補強枠７ａを設けることによりフランジ７が補強されると共に、運搬の際の手掛けとして利用することができる。
【００１７】
次に、上記構成の容器本体Ｈの使用方法について説明する。まず、容器本体Ｈに缶飲料等の容器を収納する。容器本体Ｈの側板３の高さは収納する容器の高さのほぼ半分に形成されているから、収納した容器は上部半分が突出することになる。次いで、他の容器本体Ｈを蓋体として被せる。
【００１８】
即ち、２つの容器本体Ｈを本体と蓋体として、その互いの開口面を向かい合わせにして重合し、フランジ７の長さ方向にずらしてフック９の傘９ｂをフック孔１３ａ、１３ｂのいずれか一方から挿入し、さらにそのまま続いてずらしてくびれ部１３ｃの位置に移動させればよい。このとき、傘９ｂの下面がフランジ７の下面に係止すると同時に、弾性片１０の突起１０ｃが位置決め用孔１１に嵌合して固定され一体に組み立てられる。上記のように、フランジの面と平行方向へのズレは突起１０ｃが位置決め用孔１１に嵌合することによって防止され、分離方向はフック９の傘９ｂがくびれ部１３ｃに係止することによって固定される（図１０及び図１１参照）。
【００１９】
一方、上記のように組み立ててなる２個一組の容器本体Ｈを分離するには、弾性片１０の突起１０ｃと位置決め用孔１１との嵌合力に抗して一方の容器本体Ｈをずらして嵌合状態を解除すると同時に、フック９の傘９ｂをフック孔１３ａ、１３ｂのいずれか一方に位置せしめればよい。このとき、傘９ｂの下面に設けたリブ９ｃがフック孔１３ａ、１３ｂの側面に当接することによって傘９ｂの下面がフランジ７の下面に係止されることがないから、スムーズに引き出すことができ、一組の容器本体Ｈを簡単な操作で分離することができる。
【００２０】
【発明の効果】
この発明に係る合成樹脂製運搬容器によれば、同一の容器本体を２個１組として本体と蓋体として使用することができ、その互いの開口面を向かい合わせて重合し、ずらすだけで一体に組み立てることができると共に、同じくずらすだけで分離することができる。従って、きわめて簡単な操作で組み立て、分離が可能である。また、不使用時には同一方向に嵌合させて積み重ねることができ、保管、運搬時の面積の効率化を図ることができる。
【図面の簡単な説明】
【図１】容器本体の平面図である。
【図２】容器本体の右側面図である。
【図３】容器本体の底面図である。
【図４】図１のＡ−Ａ線断面図である。
【図５】図１のＢ−Ｂ線断面図である。
【図６】図６（イ）はフックの斜視図、図６（ロ）はフック用透孔の説明用一部断面斜視図である。
【図７】フックの横断面拡大図である。
【図８】位置決め弾性片と位置決め用孔を示すフランジの拡大斜視図である。
【図９】同じく位置決め弾性片と位置決め用孔を示すフランジの断面図である。
【図１０】フックとフック用透孔の挿入状態を示す説明用拡大断面図である。
【図１１】使用状態を示す断面図である。
【符号の説明】
Ｈ  容器本体
１  底板
３  側板
５  段部
７  フランジ
９  フック
９ａ  軸
９ｂ  傘
９ｃ  リブ
１０  位置決め弾性片
１０ａ  切込
１０ｂ  弾性板
１０ｃ  突起
１１  位置決め用孔
１３  フック用透孔
１３ａ、１３ｂ  フック孔
１３ｃ  くびれ部
【図１】
0004248640.tif 000002
【図２】
0004248640.tif 000003
【図３】
0004248640.tif 000004
【図４】
0004248640.tif 000005
【図５】
0004248640.tif 000006
【図６】
0004248640.tif 000007
【図７】
0004248640.tif 000008
【図８】
0004248640.tif 000009
【図９】
0004248640.tif 000010
【図１０】
0004248640.tif 000011
【図１１】
0004248640.tif 000012